(57)【要約】この発明は、簡単な操作で、静止画像データや動画データ、音楽データなどのデータを記録媒体などの記録手段に順次コピーすることができるコピープログラム及び該コピープログラムを記録した記録媒体を提供する。本発明のコピープログラムは、コンピュータを、１）予め定められた種類のデータ、２）入力されたデータ、３）入力されたデータを変換して作成したデータ又は入力されたデータ、４）選択されたデータから選ばれる少なくとも１部を変換して作成したデータ、のいずれかと自身のプログラムとを記録媒体に記録する手段として機能させるものである。【特許請求の範囲】
【請求項１】
コンピュータを、
予め定められた種類のデータと自身のプログラムとを記録媒体に記録する手段として機能させることを特徴とするコピープログラム。
【請求項２】
コンピュータを、
入力されたデータと自身のプログラムとを記録媒体に記録する手段として機能させることを特徴とするコピープログラム。
【請求項３】
コンピュータを、
入力されたデータを変換して作成したデータ又は入力されたデータから選ばれる少なくとも１部を変換して作成したデータと自身のプログラムとを記録媒体に記録する手段として機能させることを特徴とするコピープログラム。
【請求項４】
更に、コンピュータを、
特定された記録手段の記録構造を判別する手段、
前記記録構造を参照して、前記記録手段から前記記録媒体に記録されるデータを読み取る手段、として機能させることを特徴とする請求の範囲第１項乃至第３項から選ばれるいずれか一に記載のコピープログラム。
【請求項５】
前記記録構造とは、前記記録媒体に記録されるデータを格納するフォルダの階層構造又は該フォルダの名称に基づいて特定される構造であることを特徴とする請求の範囲第４項に記載のコピープログラム。
【請求項６】
コンピュータを、
選択されたデータと自身のプログラムとを記録媒体に記録する手段として機能させることを特徴とするコピープログラム。
【請求項７】
前記記録媒体に記録されるデータは、静止画像データ、動画データ、音楽データ又は当該データを再生するためのプログラムのいずれかを含むことを特徴とする請求の範囲第１項、第２項、第３項及び第６項のいずれか一に記載のコピープログラム。
【請求項８】
前記記録媒体に記録されるデータは、静止画像データ、動画データ、音楽データ又は当該データを再生するためのプログラムのいずれかを含むことを特徴とする請求の範囲第４項に記載のコピープログラム。
【請求項９】
前記記録媒体に記録されるデータは、静止画像データ、動画データ、音楽データ又は当該データを再生するためのプログラムのいずれかを含むことを特徴とする請求の範囲第５項に記載のコピープログラム。
【請求項１０】
コンピュータを、予め定められた種類のデータと自身のプログラムとを記録媒体に記録する手段として機能させるコピープログラム、が記録されていることを特徴とする記録媒体。
【請求項１１】
コンピュータを、入力されたデータと自身のプログラムとを記録媒体に記録する手段として機能させるコピープログラム、が記録されていることを特徴とする記録媒体。
【請求項１２】
コンピュータを、入力されたデータを変換して作成したデータ又は入力されたデータから選ばれる少なくとも１部を変換して作成したデータと自身のプログラムとを記録媒体に記録する手段として機能させるコピープログラム、が記録されていることを特徴とする記録媒体。
【請求項１３】
コンピュータを、選択されたデータと自身のプログラムとを記録媒体に記録する手段として機能させるコピープログラム、が記録されていることを特徴とする記録媒体。
【請求項１４】
前記記録媒体に記録されるデータは、静止画像データ、動画データ、音楽データ又は当該データを再生するためのいずれかを含むことを特徴とする請求の範囲第１０項乃至第１３項のいずれか一に記載の記録媒体。
【発明の詳細な説明】
【技術分野】  この発明は、静止画像データや動画データ、音楽データなどをコピーするコピープログラム及び該コピープログラムが記録された記録媒体に関する。
【背景技術】  近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
また、デジタルカメラやメディア、フィルムから読み取った画像データをＤＶＤプレーヤやＤＶＤレコーダ、ゲーム機などの画像再生機器で再生可能なファイル形式の画像データに変換し、元の画像データと変換した画像データとをＣＤ−Ｒ、ＤＶＤ−Ｒなどの記録媒体に書き込むサービスも行われている。
上記サービスを利用することにより、デジタルカメラやメディア等に記録された画像データや画像再生機器用に変換された画像データなどが記録された記録媒体を入手することができ、更に記録媒体に記録された画像データをコンピュータ機器のハードディスクなどにバックアップすることにより画像データを閲覧することができるが、画像データは記録媒体を作成したユーザが楽しむのみならず、友人、知人などに見せたい場合もあり、その場合は、コンピュータ機器のハードディスクなどに記録された画像データを更に別の記録媒体にコピーする必要がある。
しかしながら、画像データをバックアップするためには所定のプログラム（例えば、ウィンドウズ（Ｒ）のエクスプローラなど）を用いてユーザ自らが記録媒体に記録された画像データの記録構造（フォルダ構成やフォルダ名称など）を調べ、この記録構造を参照して所望の種類の画像データを特定してバックアップを行わなければならず、操作が煩雑である。特に、コンピュータ機器の操作に不慣れなユーザにこのような作業を求めるのは酷であり、画像データを多数のユーザが利用することができないという問題があった。
このような問題は、写真画像に基づく静止画像データに限らず、デジタルカメラなどで撮影して得られた動画データやインターネットなどを介して取得した音楽データ、コンテンツデータなどにおいても同様に生じる。
【発明の開示】
この発明は、上記問題点に鑑みてなされたものであって、その主たる目的は、簡単な操作で、静止画像データや動画データ、音楽データなどのデータを記録媒体などの記録手段に順次コピーすることができるコピープログラム及び該コピープログラムを記録した記録媒体を提供することにある。
上記目的を達成するため、本発明のコピープログラムは、コンピュータを、１）予め定められた種類のデータ、２）入力されたデータ、３）入力されたデータを変換して作成したデータ又は入力されたデータから選ばれる少なくとも１部を変換して作成したデータ、のいずれかと自身のプログラムとを記録媒体に記録する手段として機能させるものである。
本発明においては、更に、コンピュータを、特定された記録手段の記録構造を判別する手段、前記記録構造を参照して、前記記録手段から前記記録媒体に記録されるデータを読み取る手段、として機能させる構成とすることができ、前記記録構造とは、前記記録媒体に記録されるデータを格納するフォルダの階層構造又は該フォルダの名称に基づいて特定される構造とすることができる。
また、本発明のコピープログラムは、コンピュータを、選択されたデータと自身のプログラムとを記録媒体に記録するとして機能させるものである。
なお本発明においては、予め定められた種類のデータとして設定するものとしては、後述するスライドショープログラム、スライドショー設定ファイル、プリント注文用プログラムデータ等のアプリケーションプログラムや音楽データ、画面構成データ等を挙げることができる。また選択されたデータとはユーザによって選択されたものを言う。
また本発明においては、前記記録媒体に記録されるデータは、静止画像データ、動画データ、音楽データ又は当該データを再生するためのプログラムのいずれかを含むことが好ましい。
また、本発明の記録媒体は、少なくとも、コンピュータを、１）予め定められた種類のデータ、２）入力されたデータ、３）入力されたデータを変換して作成したデータ又は入力されたデータから選ばれる少なくとも１部を変換して作成したデータ、４）選択されたデータのいずれかと自身のプログラムとを記録媒体に記録する手段として機能させるコピープログラム、が記録されているものである。
このように、本発明の構成によれば、少なくとも、静止画像データや動画データ、音楽データなどのデータと、該データ及び自身のプログラムをセットとして記録媒体にコピーするためのコピープログラムとが記録された記録媒体がユーザに提供されるため、コピープログラムを用いることにより、ユーザはコンピュータ機器にバックアップした該データとコピープログラムとを更に別の記録媒体に順次コピーすることができ、これにより、これらのデータを多数のユーザが利用できるシステムを構築することができる。
即ち、本発明のコピープログラム及び該コピープログラムが記録された記録媒体によれば、記録媒体からバックアップされた静止画像データや動画データ、音楽データなどのデータを簡単に他の記録媒体に記録することができ、これにより、これらのデータを多数のユーザが利用できるシステムを構築することができる。
その理由は、記録媒体に、所定の静止画像データや動画データ、音楽データなどのデータと、該データ及び自身のプログラムをセットとしてコピーするコピープログラムと、必要に応じてスライドショープログラムなどのアプリケーションとが記録されるため、記録媒体を作成したユーザは該コピープログラムを用いることにより、コンピュータ機器にバックアップされたデータとコピープログラムとをセットとして更に別の記録媒体に記録することができるからである。
【図面の簡単な説明】  第１図は、本発明の第１の実施例に係る記録媒体作成装置及びコンピュータ機器の構成を模式的に示す図である。
第２図は、本発明の第１の実施例に係るコンピュータ機器の他の構成を示す図である。
第３図は、本発明の第１の実施例に係るコンピュータ機器の他の構成を示す図である。
第４図は、本発明の第１の実施例に係るコンピュータ機器の他の構成を示す図である。
第５図は、本発明の第１の実施例に係るコピープログラムにより機能する手段を示すブロック図である。
第６図は、本発明の第１の実施例に係る記録媒体作成装置を用いた記録媒体の作成手順を示すフローチャート図である。
第７図は、本発明の第１の実施例に係る画像データのバックアップ手順を示すフローチャート図である。
第８図は、本発明の第１の実施例に係るコンピュータ機器を用いた記録媒体の作成手順を示すフローチャート図である。
第９図は、本発明の第１の実施例の記録媒体におけるデータの記録構造を示す図である。
第１０図は、本発明の第１実施例のコンピュータ機器のハードディスクにおけるデータの記録構造を示す図である。
第１１図は、本発明の第１の実施例に係るコンピュータ機器の表示手段に表示される画面構成例を示す図である。
第１２図は、本発明の第２の実施例に係る記録媒体作成装置及びコンピュータ機器の構成を模式的に示す図である。
第１３図は、本発明の第２の実施例に係るコンピュータ機器を用いた記録媒体の作成手順を示すフローチャート図である。
第１４図は、本発明の第２の実施例に係るコンピュータ機器の表示手段に表示される画面構成例を示す図である。
第１５図は、本発明の第２の実施例に係るコンピュータ機器の表示手段に表示される画面構成例を示す図である。
第１６図は、本発明の第２の実施例に係るコンピュータ機器の表示手段に表示される画面構成例を示す図である。
第１７図は、本発明の第２の実施例に係るコンピュータ機器の表示手段に表示される画面構成例を示す図である。
【発明を実施するための最良の形態】  本発明に係るコピープログラムは、その好ましい一実施の形態において、コンピュータを、少なくとも、予め定められた又は選択された、入力されたデータ、入力されたデータを変換して作成したデータ又は入力されたデータから選ばれる少なくとも１部を変換して作成したデータ、静止画像データ、動画データ、アプリケーションプログラム、音楽データなどのデータと、自身のプログラムとをセットとして記録媒体にコピーする手段として機能させるものであり、上記データ及びコピープログラムが記録された記録媒体を用いることにより、記録媒体を作成したユーザは、該記録媒体に予め記録されたデータをコンピュータ機器にバックアップして利用することができ、また、該コピープログラムを用いることにより、バックアップされたデータと自身のプログラムとをセットとして更に他の記録媒体に記録することができ、この操作を繰り返し実行することにより、上記データを多数のユーザが利用できるシステムを構築することができる。
【実施例１】  上記実施形態について詳細に説明すべく、本発明の第１の実施例に係るコピープログラム及び該コピープログラムが記録された記録媒体について、第１図乃至第１１図を参照して説明する。
第１図に示すように、本実施例のシステムは、静止画像データや動画データ、音楽データなど（以下、これらを総称して単にデータと呼ぶ。）と、本発明の特徴部分であるコピープログラムとが少なくとも記録された記録媒体９ａを作成する記録媒体作成装置１と、該記録媒体９ａに記録されているデータをバックアップすると共に、インストールされたコピープログラムを用いて上記データとコピープログラムとが少なくとも記録された別の記録媒体９ｂ、９ｃ…を作成するコンピュータ機器１０ａ、１０ｂ…とを少なくとも備えている。
また、記録媒体作成装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１７を介してサーバ１８から画像データをダウンロードするネットワーク接続部等のデータ入力手段と、メディア８やデジタルカメラ７から読み取った、又はサーバ１８からダウンロードした画像データやＤＶＤプレーヤやＤＶＤレコーダ、ゲーム機などで再生可能な形式に変換された画像データなどが記録されるＣＤ−Ｒ／ＲＷやＤＶＤ±Ｒ／ＲＷ、ＤＶＤ−ＲＡＭ、Ｂｌｕ−ｒａｙディスク等の記録媒体９ａを装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。なお、第１図では記録媒体作成装置１として写真店やコンビニエンスストアなどの店舗に設置される無人端末（キオスク）を示しているが、記録媒体作成装置１の形態は任意であり、入力手段や記録手段を備えた専用のセットトップボックスやポータブルライター、パーソナルコンピュータなどとしてもよい。
また、コンピュータ機器１０ａ、１０ｂ…は、上記記録媒体９ａを装填する記録媒体装填部１４などを備える本体１１と、モニタ等の表示手段１２と、キーボード、マウス等の操作手段１３とを備えている。なお、第１図ではコンピュータ機器１０ａ、１０ｂ…としてパーソナルコンピュータを用いる場合を示しているが、コンピュータ機器１０ａ、１０ｂ…の形態も任意であり、例えば、ホームサーバとしたり、第２図に示すように、演算処理機能を備えるＨＤＤレコーダやＤＶＤレコーダ、ゲーム機としたり、第３図に示すように専用のセットトップボックスとしたり、第４図に示すようにポータブルライターなどとすることもできる。
また、コピープログラムにより機能する手段をブロック図で示すと第５図のようになる。すなわち、予め定められたルールに従って記録手段（コンピュータ機器１０ａ、１０ｂ…のハードディスクなど）に生成されたフォルダの構成やフォルダの名称などに基づいて特定されるデータの記録構造を判別する記録構造判別手段１９と、該記録構造を参照して別の記録手段（記録媒体９ｂ、９ｃなど）にコピーするデータを作成するコピーデータ作成手段２０と、上記データとコピープログラムと必要に応じて他のプログラムとを別の記録手段にコピーする制御を行う記録制御手段２１とを備えている。
次に、上記記録媒体作成装置１を用いて記録媒体９ａを作成する手順について、第６図のフローチャート図を参照して説明する。
まず、ステップＳ１０１で、記録媒体作成装置１のメディア装填部２にメディア８を装填、又は、機器接続部３にデジタルカメラ７やカメラ付き携帯電話機７ａを接続、又はネットワーク接続部を通信ネットワーク１７に接続すると共に、記録媒体装填部４に記録媒体９ａを装填する。なお、記録媒体９ａはデータが記録されていないものを用いてもよいし、コピープログラムやスライドショープログラムなどの他のプログラム、音楽データなどが予め記録された記録媒体をユーザが購入する構成としてもよい。その後、ステップＳ１０２で、デジタルカメラ７やメディア８に記録された画像データ（静止画像データや動画データ、画像情報を含むデータなどを総称して画像データと呼ぶ。）やサーバ１８に記録された画像データを読み取り、必要に応じて、表示部５や操作部６を用いて記録媒体９ａに記録する画像データを選択する。
次に、ステップＳ１０３で、必要に応じて、画像データを音楽付きスライドショーとして再生するためのＢＧＭとして利用する音楽データをメディア８やサーバ１８、記録媒体作成装置１の記憶手段などから読み取る。なお、音楽データはユーザが選択してもよいし、予めデフォルトとして設定された音楽データを用いてもよい。
次に、ステップＳ１０４で、必要に応じて、デジタルカメラ７などから読み取った画像データ（ＲＡＷデータ）を表示やプリントに適したサイズや形式の画像データに編集したり、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができるが、縮小画像データを有効に利用するためには記録装置１０のモニタの解像度以上の画素数、又は、サービス版程度の写真プリントを作成できる程度の画素数を備えていることが好ましい。
次に、ステップＳ１０５で、必要に応じて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
次に、ステップＳ１０６で、データ転送手段を用いて、作成された動画データや関連付けファイル等（以下、これらを総称して画像再生機器用データ群と呼ぶ。）を予め設けた書き込み用の所定のフォルダに転送した後、データ記録手段を用いて、該フォルダから画像再生機器用データ群を読み出して、記録媒体９ａの論理アドレス領域の内側に記録する。その後、ステップＳ１０７で、データ記録手段を用いて、コンピュータ機器用のデータの記録を行う前に、画像再生機器で使用可能なデータの領域を区分するために一旦セッションをクローズする。
次に、ステップＳ１０８で、データ転送手段を用いて、読み取った又は変換した画像データや音楽データ、予め記録されたプログラムや設定ファイル等（以下、これらを総称してコンピュータ機器用データ群と呼ぶ。）を予め設けた書き込み用の所定のフォルダに転送した後、データ記録手段を用いて、該フォルダからコンピュータ機器用データ群を読み出して、記録媒体９ａに先に記録された画像再生機器用データ群の外側に記録して一連の書き込み処理を終了する。
上記手順で作成された記録媒体９ａの記録構造は、例えば、第９図に示すようになり、コンピュータ機器用データ群は、”ＰＳ＿Ｒｏｌｌ”フォルダ内の画像データ、サムネイル画像データ、スクリーンネイル画像データ、ＲＡＷデータなどの画像データ群、”Ｓｌｉｄｅｓｈｏｗ”フォルダ内のスライドショープログラム及びスライドショーの設定ファイル、”Ｐｒｉｎｔ  ｏｒｄｅｒｉｎｇ”フォルダ内プリント注文のためのプログラムデータ、”Ｆｉｌｌｉｎｇ  ｂｏｘ  ｉｎｓｔａｌｌｅｒ”フォルダ内の音楽データ、操作画面などを構成するデータ及び上記データを自動的にバックアップすると共にコピープログラムを包含するプログラム（ｓｅｔｕｐ．ｅｘｅ）などの他のデータ群とで構成され、画像再生機器用データ群は、”ＶＣＤ”フォルダ内の画像データをＶｉｄｅｏ−ＣＤ形式、ＤＶＤ−Ｖｉｄｅｏ形式、ＨＤＴＶ形式用データ等として関連付けるファイル、”ＳＥＧＭＥＮＴ”フォルダ内のＴＶ画面に表示する画像データ、”ＭＰＥＧＡＶ”フォルダ内の動画データ、”ＤＡＴ”フォルダ内のＴＶ画面に静止画像データを表示するためのアプリケーションなどで構成される。
なお、画像データ群の記録構造は任意であるが、画像データ群をコンピュータ機器１０ａ、１０ｂ…などにバックアップした場合における管理を容易にするために、予め定められたルールに従ってフォルダを構成し、そのフォルダにユニークな名称を付与することが好ましい。例えば、第９図に示すように、画像データの格納場所を示すフォルダ（ＰＳ＿Ｒｏｌｌ）の下位の階層にメディア８毎、機器毎、フィルム毎の画像データの格納場所を示すフォルダ（ＲＯ＿ＡＡＢＣ＿ＸＸＸＸＸ＿ＹＹＭＭＤＤ＿ｙｙｙ＿ｚｚｚ）を作成し、各々の要素を、ＡＡ：国別のコード番号（００〜ＺＺ）、Ｂ：地域別のコード番号（０〜Ｚ）、ｃ：記録媒体の作り方を示すコード番号（例えば、キオスクで作った場合はｋ、ラボで作った場合はＬなど）、ＸＸＸＸＸ：ランダムなＩＤ番号、ｙｙｍｍｄｄ：書き込み年月日を特定する数字、ｙｙｙ：日毎のシーケンシャル番号、ｚｚｚ：所定の単位毎（例えば、フィルム毎やメディア毎、機器毎など）のシーケンシャル番号などとしてもよい。
次に、上記記録媒体作成装置１で作成された記録媒体９ａに記録されたデータをコンピュータ機器１０ａ、１０ｂ…にバックアップする手順について、第７図のフローチャート図を参照して説明する。
まず、ステップＳ２０１で、記録媒体９ａをコンピュータ機器１０ａ、１０ｂ…の記録媒体装填部１４に装填すると、ステップＳ２０２で、所定のプログラム（例えば、セットアッププログラム：ｓｅｔｕｐ．ｅｘｅ）が自動的に起動し、ステップＳ２０３で、セットアッププログラムは記録媒体９ａから画像データとサムネイル画像データとスクリーンネイル画像データとＲＡＷ画像データとからなる画像データ群と、スライドショープログラム、スライドショー設定ファイル、プリント注文のためのプログラムデータ、音楽データ、画面構成データ、セットアッププログラムからなる他のデータ群とを抽出し、バックアップの際に生成されたコピープログラム（ここではＦｉｌｉｎｇ  Ｂｏｘ．ｅｘｅ）と共にコンピュータ機器１０ａ、１０ｂ…のハードディスクなどの記録手段の所定の記録位置に記録する。
ここで、画像データ群や他のデータ群、コピープログラムを記録する際の記録構造も任意であるが、記録媒体９ａから読み取った画像データの管理を容易にするために、第１０図に示すように記録媒体９ａの記録構造を維持して画像データ群を記録し、所定の記録位置（例えば、Ｐｒｏｇｒａｍ  Ｆｉｌｅｓの下位の階層）に移住してきたデータの格納場所を示すフォルダ（ここではＦｉｌｉｎｇ  Ｂｏｘ）を作成し、その中にコピープログラムを記録すると共に、他のデータ群の格納場所を示すフォルダ（ここではｉｎｓｔａｌｌｅｒ）を作成して上記他のデータ群を記録することが好ましい。また、複数の記録媒体９の画像データをバックアップする場合にこれらの画像データを管理しやすくするために、ＰＳ＿Ｒｏｌｌフォルダの上位の階層に移住してきた画像データの格納場所を示すフォルダ（ＰＳ＿ＡＡＢＣ＿ＸＸＸＸＸ＿ＹＹＭＭＤＤ＿ｚｚｚ）などを作成してもよい。
なお、上記手順では、記録媒体９ａを記録媒体装填部１４に装填すると、自動的にセットアッププログラムが起動してデータをバックアップする構成としたが、記録媒体９ａを装填すると、メニュー画面が表示されて、その中からバックアップを選択した場合にバックアップが実行される構成としてもよい。
次に、これらのデータを他のユーザも同様に利用できるようにするために、これらのデータとコピープログラムとを他の記録媒体９ｂに記録する手順について、第８図のフローチャート図を参照して説明する。
まず、ステップＳ３０１で、所定のプログラム（例えば、メニュープログラム）を起動すると、ステップＳ３０２で表示手段１２に第１１図に示すようなメニュー画面２２が表示される。このメニュー画面２２には、記録媒体９ａに記録された画像データを用いて行うことができる処理（例えば、記録媒体の複製、スライドショー表示、写真プリントの作成など）の一覧が選択可能に表示される。
次に、ステップＳ３０３で、ユーザが表示手段１２や操作手段１３を用いてメニュー画面２２の中から記録媒体の複製の項目を選択すると、ステップＳ３０４でコピープログラムが起動し、ステップＳ３０５で記録構造判別手段１９を用いてコンピュータ機器１０ａのハードディスクなどに作成されたフォルダの階層構造やフォルダの名称に基づいて特定される記録構造を判別し、該記録構造を参照して画像データとサムネイル画像データとスクリーンネイル画像データとＲＡＷ画像データとからなる画像データ群と、スライドショープログラム、スライドショー設定ファイル、プリント注文のためのデータ、音楽データ、画面構成データからなる他のデータ群とを特定し、ステップＳ３０６でコピーデータ作成手段２０を用いてコピーデータを作成する。
次に、ステップＳ３０７で、コンピュータ機器１０ａの記録媒体装填部１４に記録媒体９ｂを装填すると、記録制御手段２１を用いて記録媒体９ｂの所定の記録位置に上記画像データ群とコピープログラムを包含する他のデータ群とを記録する。この場合も、これらのデータ群やプログラムを記録する際の記録構造も任意であるが、記録媒体９ａと同様の記録構造が複製されるように画像データ群や他のデータ群が記録されることが好ましい。
そして、上記手順で作成された記録媒体９ｂを別のコンピュータ機器１０ｂに装填すれば、第７図のフローに従って画像データ群や他のデータ群、コピープログラムをコンピュータ機器１０ｂにバックアップすることができ、更に、コンピュータ機器１０ｂに記録媒体９ｃを装填してコピープログラムを機能させることにより、画像データ群やコピープログラムを包含する他のデータ群が記録媒体９ｃにも同様に記録される。このような操作を繰り返すことにより、元の記録媒体９ａに記録されたデータを多数のユーザが利用することができるシステムを構築することができる。
【実施例２】  次に、本発明の第２の実施例に係るコピープログラム及び該コピープログラムが記録された記録媒体について、第１２図乃至第１７図を参照して説明する。
前記した第１の実施例では、記録媒体９ａに記録された画像データ群や他のデータ群をそのまま他の記録媒体９ｂ、９ｃ…に記録する場合を示したが、記録媒体９ｂ、９ｃ…を知人などに提供する場合、不要な画像データや音楽データなどを削除したり、他の記録手段に記録された画像データや音楽データなどを追加できるようにすることが好ましい。そこで、本実施例では、記録媒体９ａとは異なるデータが記録された記録媒体９ｂ、９ｃ…を作成する手順について記載する。
第１２図に示すように、本実施例のシステムは、第１の実施例と同様に、静止画像データや動画データ、音楽データなどのデータと、コピープログラムとが少なくとも記録された記録媒体９ａを作成する記録媒体作成装置１と、該記録媒体９ａに記録されているデータをバックアップすると共に、インストールされたコピープログラムを用いて上記データとコピープログラムとが少なくとも記録された別の記録媒体９ｃ、９ｃ…を作成するコンピュータ機器１０ａ、１０ｂ…とを少なくとも備えている。また、本実施例のコンピュータ機器１０ａ、１０ｂ…には、上記記録媒体９ａを装填する記録媒体装填部１４、デジタルカメラ７やカメラ付き携帯電話機７ａ等の撮影機器を接続するための機器接続部１６、メディア８を装填するメディア装填部１５、通信ネットワーク１７を介してサーバ１８から画像データをダウンロードするネットワーク接続部などを備えている。なお、本実施例においても、コンピュータ機器１０ａ、１０ｂ…の形態は任意であり、例えば、ホームサーバとしたり、演算処理機能を備えるＨＤＤレコーダやＤＶＤレコーダ、ゲーム機としたり、専用のセットトップボックスとしたり、ポータブルライターなどすることもできる。
このような機能を備えたコンピュータ機器１０ａ、１０ｂ…を用いて、ハードディスクなどにバックアップされた画像データ群やコピープログラムを包含する他のデータ群を更に別の記録媒体９ｂに記録する手順について、第１３図のフローチャート図及び第１４図乃至第１７図の画面構成例を参照して説明する。
まず、ステップＳ４０１で、所定のプログラム（例えば、メニュープログラム）を起動すると、ステップＳ４０２で、第１の実施例と同様に、第１１図に示すようなメニュー画面２２が表示される。このメニュー画面２２には、記録媒体９ａに記録された画像データを用いて行うことができる処理（例えば、記録媒体の複製、スライドショー表示、写真プリントの作成など）の一覧が選択可能に表示され、その中から、ステップＳ４０３でスライドショー表示を選択すると、ステップＳ４０４でスライドショープログラムが起動し、第１４図に示すような作業メニュー付きアルバム表示画面２３が表示される。
この作業メニュー付きアルバム表示画面２３には、例えば、画像データの供給元（例えば、記録媒体９ａやコンピュータ機器１０ａのハードディスク、デジタルカメラ７、メディア８等）を示すタグ表示欄２４と、画像データの縮小画像（サムネイル画像）を一覧表示するアルバム表示欄２５と、画像データを用いた処理を選択する作業メニュー欄２６とが表示される。なお、図のタグ表示欄２４やアルバム表示欄２５、作業メニュー欄２６は例示であり任意の構成とすることができるが、少なくとも作業メニュー欄２６に新しい記録媒体９ｂを作成する項目が含まれている必要がある。
そして、マウスやキーボード、タッチパネルなどを用いて作業メニュー欄２６の中から”新しいＣＤを作る”を選択すると、第１５図に示すようなスライドショー作成画面２７が表示される。このスライドショー作成画面２７には、例えば、画像データの供給元を示すタグ表示欄２４と、画像データの縮小画像を一覧表示するアルバム表示欄２５と、スライドショーで再生される画像データを表示する選択画像表示欄２８と、操作手順を明示する手順表示欄２９とが設けられており、ステップＳ４０６でユーザはマウスやキーボードなどの操作手段１３を用いて所望の画像データを選択すると、選択された画像データが選択画像表示欄２８に表示される。なお、選択するデータは静止画像データに限らず動画データや音楽データを選択してもよく、動画データや音楽データを区別しやすいように該当するデータに”Ｓｏｕｎｄ”や”ＭＯＶＩＥ”などの文字を重ねて表示することもできる。
次に、必要に応じてアルバムタイトルを入力したり、画像に文字を挿入すると、第１６図に示すような音楽データ選択画面３０が表示される。この音楽データ選択画面３０には、ＢＧＭを使用するか、ＢＧＭを使用する場合はコンピュータ機器１０ａのハードディスクなどに予め記録されている音楽データなどのユーザ自身の音楽データを使用するか、サーバ１８に記録されている音楽データをダウンロードするかが選択できるように構成されており、ステップＳ４０７でＢＧＭを使用する場合は、ステップＳ４０８でユーザは好みの音楽データを選択する。
次に、必要に応じてスライドショーを再生して確認した後、ＣＤの作成を選択すると、第１７図に示すような書き込み指示画面３１が表示され、記録媒体装填部１４にデータが記録されていないブランクの記録媒体９ｂ（又は、予め識別情報が記録された記録媒体９ｂなど）を挿入して、ステップＳ４０９で書き込み開始ボタンを押すと、ステップＳ４１０でコピープログラムが起動し、記録構造判別手段１９を用いてハードディスクに作成されたフォルダの階層構造やフォルダの名称に基づいて特定されるデータの記録構造を判別し、該記録構造を参照して画像データとサムネイル画像データとスクリーンネイル画像データとＲＡＷ画像データとからなる画像データ群と、スライドショープログラム、スライドショー設定ファイル、プリント注文のためのプログラムデータ、音楽データ、画面構成データ、コピープログラムを包含するセットアッププログラムなどからなる他のデータ群とを特定し、ステップＳ４１１でコピーデータ作成手段２０を用いてコピーデータを作成する。
次に、ステップＳ４１２で、コンピュータ機器１０ａの記録媒体装填部１４に記録媒体９ｂを装填すると、ステップＳ４１３で記録制御手段２１を用いて記録媒体９ｂの所定の記録位置に上記画像データ群とコピープログラムを包含する他のデータ群とを記録する。この場合も、これらのデータ群やプログラムを記録する際の記録構造も任意であるが、記録媒体９ａと同様の記録構造が複製されるように、画像データ群や他のデータ群が記録されることが好ましい。
このように、本実施例では、記録媒体９ａに記録されたデータをそのまま用いるのではなく、選択した画像データや音楽データを用いて、新たな記録媒体９ｂ、９ｃ…を作成するため、記録媒体９ｂ、９ｃ…自体の価値を更に高めることでき、これにより画像データを用いたサービスの利用促進を図ることができる。
なお、上記では、画像データと音楽データのみを選択する場合について示したが、プログラムも選択できるようにすることもできる。また、上記各実施例では、画像再生機器用の画像データはコンピュータ機器１０ａ、１０ｂ…にバックアップしない構成としたが、本発明は上記実施例に限定されるものではなく、この画像データもバックアップし、別の記録媒体９ｂ、９ｃを作成する際に該画像データも記録する構成とすることもできる。
【産業上の利用可能性】  本発明のコピープログラム及び該コピープログラムが記録された記録媒体によれば、記録媒体に、所定の静止画像データや動画データ、音楽データなどのデータと、該データ及び自身のプログラムをセットとしてコピーするコピープログラムと、必要に応じてスライドショープログラムなどのアプリケーションとが記録されるため、記録媒体を作成したユーザは該コピープログラムを用いることにより、コンピュータ機器にバックアップされたデータとコピープログラムとをセットとして更に別の記録媒体に記録することができるから、記録媒体からバックアップされた静止画像データや動画データ、音楽データなどのデータを簡単に他の記録媒体に記録することができ、これにより、これらのデータを多数のユーザが利用できるシステムを構築することができる。
【図１】
2005071679.tif 000002
【図２】
2005071679.tif 000003
【図３】
2005071679.tif 000004
【図４】
2005071679.tif 000005
【図５】
2005071679.tif 000006
【図６】
2005071679.tif 000007
【図７】
2005071679.tif 000008
【図８】
2005071679.tif 000009
【図９】
2005071679.tif 000010
【図１０】
2005071679.tif 000011
【図１１】
2005071679.tif 000012
【図１２】
2005071679.tif 000013
【図１３】
2005071679.tif 000014
【図１４】
2005071679.tif 000015
【図１５】
2005071679.tif 000016
【図１６】
2005071679.tif 000017
【図１７】
2005071679.tif 000018
【国際調査報告】
2005071679.tif 000019
2005071679.tif 000020
2005071679.tif 000021
2005071679.tif 000022